(57)【特許請求の範囲】
【請求項１】
建物の基礎と、
前記基礎の上に設置された土台と、
前記基礎と前記土台との間に介設され前記基礎と前記土台との間の通気を可能にする基礎パッキンと、
前記土台の上に形成された壁部と、
前記壁部に取り付けられ前記建物の外側下方に向けて張り出された水切り板と、
複数の微細な通気孔が形成されており前記基礎の上端と前記水切り板との隙間を塞ぐ防虫部材と、を有し、
前記水切り板は、先端側に第一係合部を有し、
前記防虫部材は、基端側に被挟持部及び先端側に第二係合部を有し、
前記基礎の上端と前記基礎パッキンの間に前記被挟持部が挟持されているとともに、前記第一係合部と前記第二係合部とが係合されており、
前記壁部は、外装下地とこの外装下地と隙間をあけて設置された外装材とを備え、
前記外装下地と前記外装材との隙間と、前記防虫部材の通気孔とが連通することを特徴とする防虫構造。
【請求項２】
基礎の立ち上り部の上端に防虫部材を配設しつつ、基礎パッキンを載置することにより、前記基礎と前記基礎パッキンとで前記防虫部材の基端側を挟持する工程と、
前記基礎パッキンの上に土台を固定した後、壁部を構築する工程と、
前記壁部に水切り板を取り付ける工程と、
前記壁部に前記水切り板を取り付けた後、前記水切り板に形成された第一係合部と前記防虫部材の先端側に形成された第二係合部とを係合する工程と、を含むことを特徴とする防虫構造の施工方法。
【発明の詳細な説明】
【技術分野】
【０００１】
本発明は、建物の床下空間への虫の侵入を防止するとともに、床下空間の通気性を確保することができる防虫構造及び防虫構造の施工方法に関する。
【背景技術】
【０００２】
建物の床下空間への白蟻の侵入を防ぐために、基礎や土壌に防蟻剤を散布する処理が行われている。一般的に、土壌処理は、基礎内の土壌処理を対象とし、原則的に基礎の外周には行わない。そのため、例えば、基礎の立ち上り部の外側に塗布された化粧モルタルと立ち上り部の間の微細な隙間に沿って白蟻が基礎を上り、立ち上り部と土台との隙間から床下空間に進入する問題があった。通常、化粧モルタルは、立ち上り部の上端を覆う水切り板で隠れる部分まで塗り上げられている。そのため、白蟻の侵入を発見しづらいという問題もあった。また、建物にウッドデッキを隣設する場合、このウッドデッキと基礎との隙間から床下空間に白蟻が侵入するという問題があった。
【０００３】
そこで、例えば、特許文献１には、床下空間に白蟻を侵入させないように形成された防蟻構造が開示されている。この防蟻構造は、基礎の立ち上り部の上端と建物の土台との間にバリヤ本体を設けている。バリヤ本体は、板状を呈し、基礎の上端を覆う基礎被覆部と、この基礎被覆部から基礎の両側下方に延設された一対の遮壁部とを有している。遮壁部の先端は自由端になっており、基礎から離間している。これにより、基礎の立ち上り部を上がってきた白蟻は、いわゆるネズミ返しの要領で通路を遮られるため、床下空間への白蟻の侵入を防ぐことができる。
【先行技術文献】
【特許文献】
【０００４】
【特許文献１】特開昭６２−１９４３４５号公報
【発明の概要】
【発明が解決しようとする課題】
【０００５】
しかし、特許文献１に係る防蟻構造では、基礎の立ち上り部と土台とを密閉するため、床下空間の通気性が悪いという問題があった。一方で、通気性を確保しようとすると、白蟻の侵入を許してしまう。つまり、床下空間の白蟻等の侵入防止と床下空間の通気性の確保の両立を図ることは困難であった。
【０００６】
本発明は、前記した問題に鑑みて創案されたものであり、床下空間への虫の侵入を防止するとともに床下空間の通気性を確保することができる防虫構造及び防虫構造の施工方法を提供することを課題とする。
【課題を解決するための手段】
【０００７】
前記課題を解決するため、本発明は、建物の基礎と、前記基礎の上に設置された土台と、前記基礎と前記土台との間に介設され前記基礎と前記土台との間の通気を可能にする基礎パッキンと、前記土台の上に形成された壁部と、前記土台又は前記壁部に取り付けられ前記建物の外側下方に向けて張り出された水切り板と、前記基礎の上端及び前記水切り板にそれぞれ当接し前記基礎の上端と前記水切り板との隙間を塞ぐ防虫部材と、を有し、前記防虫部材には、複数の微細な通気孔が形成されていることを特徴とする。
【０００８】
かかる構成によれば、防虫部材が基礎の上端と水切り板との隙間を塞ぐので、虫が床下空間に侵入するのを防ぐことができる。また、防虫部材に形成された通気孔と基礎パッキンによって空気の通り道ができるため、床下空間の通気性を確保することができる。なお、防虫部材に形成された通気孔は、虫は通さないが空気は通る大きさとなっている。
【０００９】
また、前記水切り板は、先端側に第一係合部を有し、前記防虫部材は、基端側に被挟持部と先端側に第二係合部とを有し、前記基礎の上端と前記基礎パッキンの間に前記被挟持部が挟持されているとともに、前記第一係合部と前記第二係合部とが係合されていることが好ましい。
【００１０】
かかる構成によれば、防虫部材の第一係合部と水切り板の第二係合部とを係合させるだけで、基礎の上端と水切り板との隙間を容易に塞ぐことができる。これにより、施工性を高めることができる。
【００１１】
また、前記壁部は、外装下地とこの外装下地と隙間をあけて設置された外装材とを備え、前記外装下地と前記外装材との隙間と、前記防虫部材の通気孔とが連通することが好ましい。
【００１２】
かかる構成によれば、外装下地と外装材との隙間と防虫部材の通気孔とが連通するため、建物の通気性をより高めることができる。また、本発明は、基礎の立ち上り部の上端に防虫部材を配設しつつ、基礎パッキンを載置することにより、前記基礎と前記基礎パッキンとで前記防虫部材の基端側を挟持する工程と、前記基礎パッキンの上に土台を固定した後、壁部を構築する工程と、前記壁部に水切り板を取り付ける工程と、前記壁部に前記水切り板を取り付けた後、前記水切り板に形成された第一係合部と前記防虫部材の先端側に形成された第二係合部とを係合する工程と、を含むことを特徴とする。
【発明の効果】
【００１３】
本発明に係る防虫構造及び防虫構造の施工方法によれば、床下空間への白蟻等の侵入を防止するとともに床下空間の通気性を確保することができる。
【図面の簡単な説明】
【００１４】
【図１】本実施形態に係る防虫構造を示す一部破断斜視図である。
【図２】図１の断面図である。
【図３】本実施形態に係る基礎パッキンを示す図であって（ａ）は斜視図、（ｂ）は平面図、（ｃ）は側面図である。
【図４】本実施形態に係る防虫部材を示す斜視図である。
【発明を実施するための形態】
【００１５】
以下、本発明の実施形態について、図面を参照して詳細に説明する。図１に示すように、本実施形態に係る防虫構造１は、床下空間Ｙを備えた住宅Ｊに設けられる。
【００１６】
防虫構造１は、基礎２と、基礎パッキン３と、土台４と、壁部５と、水切り板６と、防虫部材７とで主に構成されている。防虫構造１は、住宅Ｊ等の建物の基礎２周りに設けられ、床下空間Ｙへの虫の侵入を防止するとともに、床下空間Ｙの通気を確保する。住宅Ｊは、本実施形態では枠組壁工法で構築された場合を例示するが、構築方法を限定するものではなく、軸組工法等公知の工法を採用することができる。
【００１７】
基礎２は、図１及び図２に示すように、住宅Ｊを支持するための鉄筋コンクリート製の部材である。基礎２は、底面を構成するスラブ部２ａとスラブ部２ａから立ち上がる立ち上り部２ｂとを備えている。立ち上り部２ｂの外側には化粧モルタル２ｃが塗布されている。化粧モルタル２ｃは、図２に示すように水切り板６によって隠れる高さまで塗布されている。基礎２は、本実施形態ではベタ基礎を例示するが、布基礎であってもよい。
【００１８】
基礎パッキン３は、基礎２と土台４との間に介設される樹脂製の部材である。基礎パッキン３は、基礎２と土台４との間に隙間又は通気口を形成することによって、床下空間Ｙの通気を可能にする部材である。基礎パッキン３は、具体的な図示はしないが、住宅Ｊの外周に位置する立ち上り部２ｂの略全長に亘って設けられている。
【００１９】
基礎パッキン３は、図３に示すように、長尺のパッキンであって、一対の長辺部１１と、長辺部１１同士を連結する複数の短辺部１２とを有する。基礎パッキン３は例えば２０ｍｍ程度の厚みで形成されている。長辺部１１は、立ち上り部２ｂの長手方向に沿って配設される部位であって、幅方向に連通する複数の通気口１１ａを備えている。通気口１１ａを備えることにより、床下空間Ｙと外部との通気が可能になる。短辺部１２は、所定の間隔をあけて長辺部１１，１１を略垂直に連結する部位である。
【００２０】
また、基礎パッキン３は、図３の（ｂ）に示すように上下方向に連通する連通孔１３が形成されている。連通孔１３は、一対の長辺部１１及び一対の短辺部１２で形成される。連通孔１３は、図示しないアンカーボルトを挿通させる部位である。
【００２１】
なお、基礎パッキン３は、本実施形態では前記した構成のものを採用したが、床下空間Ｙと外部との通気が可能な構成であればこれに限定されるものではない。例えば、通気口１１ａを備えていない中実の基礎パッキン（スペーサー）を、立ち上り部２ｂの上に間隔をあけて複数個配設し、立ち上り部２ｂと土台４との間に通気用の隙間を設けてもよい。
【００２２】
土台４は、図１及び図２に示すように、基礎パッキン３の上に設置された木材である。土台４は、アンカーボルト（図示省略）によって基礎２の立ち上り部２ｂに固定される。土台４の上には、床材８が設置されている。床材８は、水平方向に延びる平板部材である。
【００２３】
壁部５は、図１及び図２に示すように、鉛直方向に立設される部材であって、床材８の上に設置されている。壁部５は、枠材２１，２２と、外装下地２３と、外装材２４とで主に構成されている。外装下地２３は、枠材２１，２２によって形成された枠状部材に取り付けられている。外装下地２３の外側面には、防水シート（図示省略）が貼付されている。
【００２４】
外装材２４は、鉛直方向に立設し、住宅Ｊの外側を構成する板状部材である。外装材２４と外装下地２３の間は、例えば胴縁（図示省略）を介設することで隙間Ｋ１が形成されている。隙間Ｋ１は、壁部５の鉛直方向に亘って形成されているため、壁部５内の通気性を高めることができる。なお、本実施形態では、外装下地２３と外装材２４との間に胴縁を介設して隙間Ｋ１を設けたが、例えば、突条を備えた防水シート等を介設することで隙間Ｋ１を形成してもよい。
【００２５】
水切り板６は、図１及び図２に示すように、壁部５の下端に取り付けられた金属製の板状部材である。水切り板６は、立ち上り部２ｂの上端、基礎パッキン３及び土台４の側部を覆うように配設されており、これらの部材を雨水から保護する。水切り板６は、玄関口を除く住宅Ｊの外周の略全長に亘って設けられている。
【００２６】
水切り板６は、基板３１と、傾斜板３２と、垂下板３３と、第一係合部３４とを有する。基板３１は、本実施形態では、外装下地２３に配設された防水シート又は銅縁（図示省略）に取り付けられている。傾斜板３２は、基板３１の下端から住宅Ｊの外側に向けて斜め下方に張り出されている。垂下板３３は、傾斜板３２の下端から下方に延設されている。立ち上り部２ｂの上端を雨水から保護するために、垂下板３３の下端は、立ち上り部２ｂの上端よりも下方に位置するように設定することが好ましい。
【００２７】
第一係合部３４は、垂下板３３の下端から基礎２側に向けて斜め上方に延設されている。第一係合部３４の先端は垂下板３３側に向けて折り返されている。第一係合部３４は、後記する第二係合部４３と係合する部位である。立ち上り部２ｂと水切り板６との間には隙間Ｋ２が形成されている。
【００２８】
防虫部材７は、図１及び図２に示すように、ステンレス製の網状部材であって、立ち上り部２ｂの上端と水切り板６との隙間Ｋ２を塞ぐ。防虫部材７は、床下空間Ｙへの虫の侵入を防止するとともに通気性を備える部材である。防虫部材７は、本実施形態では水切り板６が配設されている部位の全長に亘って配設されている。
【００２９】
防虫部材７は、図４に示すように、被挟持部４１と、本体部４２と、第二係合部４３とを有する。防虫部材７は、網状の薄いステンレス材を折り曲げ加工して形成されている。被挟持部４１は、水平方向に延設されている。本体部４２は、被挟持部４１の端部から斜め下方に向けて延設されている。第二係合部４３は、本体部４２の下端で折り返され斜め下方に向けて延設されている。
【００３０】
図２に示すように、被挟持部４１は、立ち上り部２ｂと基礎パッキン３の間に挟持される。被挟持部４１は、本実施形態では、立ち上り部２ｂの外側の三分の一程度が重なるように設定されている。防虫部材７は、例えば１ｍｍ程度の厚みになっているため、基礎パッキン３の傾きは無視することができる。なお、被挟持部４１の長さを基礎パッキン３の幅と同等に設定してもよい。
【００３１】
第二係合部４３と第一係合部３４とは互いに引っ掛けるようにして係合されている。これにより、立ち上り部２ｂと水切り板６との隙間Ｋ２が防虫部材７によって塞がれる。立ち上り部２ｂの外側面と防虫部材７とでなす角度は、鋭角であることが好ましい。これにより、虫を外側下方に導くことができるため、虫の侵入をより効果的に防止することができる。
【００３２】
また、防虫部材７は、網状になっているため、微細な複数の通気孔４４を備えている。本実施形態では、白蟻の侵入を防ぐことを主な目的としているため、通気孔４４の大きさを１ｍｍ×１ｍｍ程度に設定している。通気孔４４の大きさ及び形状は、空気を通すことを前提としつつ、進入を防ぐ虫の対象に応じて適宜設定すればよい。
【００３３】
防虫部材７は、本実施形態では網状の部材を設けたが、例えば、金属製の薄板部材に複数の微細な孔を穿設して形成してもよい。また、防虫部材７は、本実施形態では、金属製としたが、樹脂製であってもよい。また、防虫部材７は、可撓性を備えた材料で形成してもよい。
【００３４】
次に、防虫構造１の施工方法について説明する。
基礎２を構築した後、立ち上り部２ｂの上端に防虫部材７を配設しつつ、基礎パッキン３を載置する。このとき、防虫部材７の被挟持部４１は、立ち上り部２ｂと基礎パッキン３とに挟まれるとともに、本体部４２は立ち上り部２ｂの外側に向けて張り出している。
【００３５】
次に、基礎パッキン３の上に土台４を配置してアンカーボルトで固定する。そして、床材８を配置した後、壁部５を構築する。壁部５を構築する際には、外装下地２３に配設された防水シート又は銅縁（図示省略）に水切り板６を取り付ける。最後に、水切り板６の第一係合部３４と防虫部材７の第二係合部４３とを係合させる。
【００３６】
以上説明した防虫構造１によれば、防虫部材７が基礎２の立ち上り部２ｂの上端と水切り板６との隙間Ｋ２を塞ぐので、虫が床下空間Ｙに侵入するのを防ぐことができる。また、防虫部材７に形成された通気孔４４と基礎パッキン３によって空気の通り道ができるため、床下空間Ｙの通気性を確保することができる。
【００３７】
また、水切り板６の第一係合部３４と防虫部材７の第二係合部４３とを係合させるだけで、基礎２の上端と水切り板６との隙間Ｋ２を容易に塞ぐことができる。これにより、施工性を高めることができる。
【００３８】
また、外装下地２３と外装材２４との隙間Ｋ１と防虫部材７の通気孔４４とが連通するため、住宅Ｊの通気性をより高めることができる。
【００３９】
また、防虫部材７は、水切り板６の内部に配設されるため、通常人目に触れることがない。これにより、住宅Ｊの外観の意匠性を損ねることがない。
【００４０】
以上、本発明の実施形態について説明したが本発明の趣旨に反しない範囲において適宜設計変更が可能である。例えば、第一係合部３４及び第二係合部４３は、本実施形態では、部材の先端を折り曲げて両者を引っ掛けるようにして係合させたが、第一係合部３４及び第二係合部４３を容易に係合可能であれば他の構成であってもよい。また、第一係合部３４及び第二係合部４３を設けずに、少なくとも防虫部材７の先端が、水切り板６の裏側に当接する構成であってもよい。
【００４１】
また、本実施形態では、防虫部材７に被挟持部４１を設けたが、これに限定されるものではない。防虫部材７の基端側は、立ち上り部２ｂの上端に当接していればよく、例えば、防虫部材７と立ち上り部２ｂの上端とを接着剤で接着してもよい。
【００４２】
また、本実施形態では、図２に示すように、水切り板６と基礎パッキン３とを上下方向に離間させているが、両者を当接させてもよい。また、本実施形態では、水切り板６を外装下地２３に配設された防水シート又は銅縁（図示省略）に取り付けたが、外装下地２３又は土台４の外側に直接取り付けてもよい。
【符号の説明】
【００４３】
１      防虫構造
２      基礎
２ａ    スラブ部
２ｂ    立ち上り部
２ｃ    化粧モルタル
３      基礎パッキン
４      土台
５      壁部
６      水切り板
７      防虫部材
８      床材
２３    外装下地
２４    外装材
３４    第一係合部
４１    被挟持部
４２    本体部
４３    第二係合部
４４    通気孔
Ｋ１    隙間
Ｋ２    隙間
Ｊ      住宅
Ｙ      床下空間
【図１】
0005689264.tif 000002
【図２】
0005689264.tif 000003
【図３】
0005689264.tif 000004
【図４】
0005689264.tif 000005